(57)【要約】【課題】商品を収納した個包装容器を１個あるいは複数個まとめて包装するシュリンク包装体の外面を利用して、広告宣伝したい他の商品について、一人一人が手に持って、シュリンク包装体の外面に形成した印刷画像表示媒体を通して、必然的に、確実に見せることできる広告宣伝媒体を提供することにある。【解決手段】商品を収納した個包装容器の１個あるいは複数個をまとめて包装するシュリンク包装体の外面に、個包装容器内に収納された商品と全く無関係の他の商品を広告宣伝する文字、図形、記号、絵柄等からなる印刷画像表示部を形成したことを特徴とする広告宣伝媒体である。【選択図】図１
2004252220.tif 000002
【特許請求の範囲】
【請求項１】
商品を収納した包装容器（以下個包装容器と称す）の１個あるいは複数個をまとめて包装するシュリンク包装体の外面に、前記個包装容器内に収納された商品と全く無関係の他の商品を広告宣伝する文字、図形、記号、絵柄等からなる印刷画像表示部を形成したことを特徴とする広告宣伝媒体。
【発明の詳細な説明】
【０００１】
【発明の属する技術分野】
本発明は、広告宣伝媒体に関し、さらに詳しくは、シュリンク包装体の外面を利用して、商品を購入した人に、広告宣伝したい商品を確実に知らせ、その関心を引きつけることができる広告宣伝媒体に関するものである。
【０００２】
【従来の技術】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。さらに、例えば、街頭のネオンサイン等を利用し、主に、視覚を通して商品を広告宣伝する場合、さらには、ラジオ、街頭放送等を利用し、主に、音声を通して商品を広告宣伝する場合、あるいは、テレビ等を利用し、主に、音声と映像等を通して商品を広告宣伝する場合等もある。
【０００３】
しかし、上記のような従来の広告宣伝媒体による広告宣伝は、不特定多数の人に向かって商品を広告宣伝するものであり、通常、一人一人が、それを視覚を通して見たり、また、聴覚をとおして聴いたりしても、広告宣伝する商品について、それ程関心を引くものとなっていない。ましてや、人々は、近年、広告宣伝の氾濫による喧騒等に嫌悪感を持つようになっており、それほどに関心のない商品の宣伝広告は、見たり、聴いたりすることを避け、チラシ、カタロク等に至っては、見ないで、そのまま捨ててしまい、その商品の広告宣伝に振り向かないのが実状である。
【０００４】
そこで、商品を収納した個包装容器を１個あるいは複数個まとめて包装する外包装容器の外面を利用して、広告宣伝したい商品等について、一人一人が手に持って、外包装容器の外面に形成した印刷画像表示媒体を通して、必然的に、確実に見せることできる広告宣伝媒体が提案されている（例えば、特許文献１参照。）。
【０００５】
【特許文献１】
特開平１０−２６８８１８号公報
【０００６】
【発明が解決しようとする課題】
しかしながら、上記の特開平１０−２６８８１８号公報「広告宣伝媒体」は、個包装容器の表面に広告宣伝したい商品等の印刷画像表示部を形成したことを特徴とする広告宣伝媒体であり、個包装容器を包装する外包装容器を利用して広告宣伝したい商品等の印刷画像表示部を形成した広告宣伝媒体とはなっていない。
【０００７】
そこで本発明は、商品を収納した個包装容器を１個あるいは複数個まとめて包装するシュリンク包装体の外面を利用して、広告宣伝したい他の商品について、一人一人が手に持って、シュリンク包装体の外面に形成した印刷画像表示媒体を通して、必然的に、確実に見せることできる広告宣伝媒体を提供することである。
【０００８】
【課題を解決するための手段】
上記のような課題を解決すべく本発明は、商品を収納した個包装容器の１個あるいは複数個をまとめて包装するシュリンク包装体の外面に、前記個包装容器内に収納された商品と全く無関係の他の商品を広告宣伝する文字、図形、記号、絵柄等からなる印刷画像表示部を形成したことを特徴とする広告宣伝媒体である。
【０００９】
本発明によれば、個包装容器に収納されている商品を購入しようとする、あるいは、購入した一人一人は、そのシュリンク包装体を手に持って、その外面に施されている個包装容器の外面に施されている商品に関する印刷画像表示部に目を落とすと同時に、必然的に、確実に、そのシュリンク包装体の外面に施されている他の商品に関する印刷画像表示部を見ることになり、これによって、極めてその商品の広告宣伝機能の高い広告宣伝媒体を得ることができるものである。
【００１０】
【発明の実施の形態】
以下に、図面を参照にしながら、本発明の広告宣伝媒体の実施の形態についてさらに詳しく説明する。なお、説明を簡単にするために、各図において対応する部位には、同じ符号を付している。
【００１１】
まず、本発明の広告宣伝媒体の実施の形態について実施例をあげて説明する。図１は、本発明にかかる広告宣伝媒体の実施の形態の一実施例を示す斜視図である。本発明の広告宣伝媒体Ａは、図１に示すように、中に商品１を収納した個包装容器２の１個あるいは複数個をまとめて包装しているシュリンク包装体３であり、商品１を表示する文字、図形、記号、絵柄等からなる印刷画像表示部４および商品１と無関係な他の商品５（図示していない）の広告宣伝をする文字、図形、記号、絵柄等からなる印刷画像表示部６を形成している。
【００１２】
すなわち、本発明の広告宣伝媒体Ａでは、図１−ｃに示すように、商品１を包装した個包装容器２を複数個（本実施例では５個）まとめて一つのシュリンク包装体３の表側Ｐの外面に、図１−ａに示すように、その商品１を表示する事項、例えば、商品１の商標名ａ、商品１を表す絵柄ｂ、商品１の品名、中身、製造者、および販売者等を表す欄ｃ、その他、商品１の使用法、保存法等の所定の表示事項（図示してない）等、商品１を表す文字、図形、記号、絵柄等からなる印刷画像表示部４を形成し、さらに、その印刷画像表示部４以外の領域、例えば、シュリンク包装体３の裏側Ｑの外面に、図１−ｂに示すように、個包装容器２内に収納されている商品１と全く無関係である、他の商品５を広告宣伝する他の商品５の商標名ｘ、その他の商品５を表す絵柄ｙ、その他の商品５の性能、製造者等を表示する欄ｚ等、他の商品５を表す文字、図形、記号、絵柄等からなる印刷画像表示部６を形成して、本発明にかかる広告宣伝媒体Ａを構成するものである。なお、シュリンク包装体３において、商品１の印刷画像表示部４および商品５の印刷画像表示部６を設ける位置は、特に限定されるものではないが、購入者が見やすい位置とすることが好ましい。
【００１３】
本実施例では、シュリンク包装体３の外面に商品１を表示する文字、図形、記号、絵柄等からなる印刷画像表示部４と、商品１と無関係な他の商品５の広告宣伝をする文字、図形、記号、絵柄等からなる印刷画像表示部６との両表示部を形成しているが、シュリンク包装体３が透明な場合には、シュリンク包装体３を通して外から個包装容器２に形成した商品１を表示する文字、図形、記号、絵柄等からなる印刷画像表示部を視認することができることから、必ずしも、商品１を表示する文字、図形、記号、絵柄等からなる印刷画像表示部４を形成する必要はなく、他の商品５の広告宣伝をする文字、図形、記号、絵柄等からなる印刷画像表示部６を個包装容器２の商品１を表示する文字、図形、記号、絵柄等からなる印刷画像表示部を遮らない位置に設ければよい。
【００１４】
上記の例示は、本発明にかかる広告宣伝媒体についてのシュリンク包装体３の一例を例示したものであり、これによって本発明は限定されるものではない。本発明においては、図示しないが、シュリンク包装体３の形態としては、上記のようなスリーブ状の形態の他に、例えば、三方シール状、四方シール状のものでもよく、また、その形態は、個包装容器２の形態により、種々の形態のものを取り得るものである。
【００１５】
つぎに、本発明にかかる広告宣伝媒体について、それを構成する材料、製造法等を説明する。
【００１６】
まず、本発明の広告宣伝媒体Ａのように、シュリンク包装体３を構成する包装材料であるシュリンクフィルムには、ポリエチレンフィルムを使用しているが、このシュリンクフィルムは熱収縮性が必要であり、さらに、落下衝撃強度、耐ピンホール性、耐熱性、品質保全性、作業性、衛生性等の種々の条件が要求される。ポリエチレンフィルム以外にも、上記のような諸条件を充足する材料を任意に選択して使用することができ、具体的には、例えば、ポリプロピレンフィルム、エチレン−酢酸ビニル共重合体フィルム、ポリ塩化ビニルフィルム、ポリスチレンフィルム、ポリエステルフィルム、ナイロンフィルム等から任意に選択して使用することができる。本発明において、上記のフィルムないしシートは、一軸ないし二軸方向に延伸されたもの等のいずれのものでも使用することができる。また、その厚さは、任意であるが、数μｍから３００μｍ位の範囲から選択して使用することができる。
【００１７】
本発明においては、上記のようなシュリンクフィルムの表面に、原反の状態において、予め、例えば、文字、図形、記号、絵柄、模様等の所望の印刷絵柄を通常の印刷法、例えば、オフセット印刷、グラビア印刷、凸版印刷、シルクスクリーン印刷、転写印刷等によって表刷り印刷、あるいは裏刷り印刷等を行うことにより、個包装容器２内に収納した商品１を表示する商品名、商標名、製造者、販売者、商品説明事項等の商品を表示する文字、図形、記号、絵柄等からなる印刷画像表示部４を形成すると共に、該印刷画像表示部４以外の領域に、個包装容器２内に収納された商品１と全く無関係の他の商品５を広告宣伝する文字、図形、記号、絵柄等からなる印刷画像表示部６を形成することができるものである。なお、本発明においては、上記のような印刷画像表示部６を形成するに際しては、印刷画像表示部６を構成する文字、図形、記号、絵柄等を、通常の印刷インキを使用して形成する代わりに、例えば、蛍光性インキ、示温性インキ等を使用して印刷画像表示部６を形成することもでき、さらには、その印刷画像表示部６の構造を凹凸画像等にすることもでき、さらにまた、ホログラフィー等を使用して印刷画像表示部６を形成してもよく、また、印刷インキの色数を増やして印刷画像表示部６を形成することもできる。そして、上記のような印刷画像表示部６を形成することにより、その機能性、広告宣伝効果等をさらに高めることが可能となるものである。
【００１８】
つぎに、本発明において、上記のようなシュリンクフィルムを使用してシュリンク包装する方法について説明する。まず、５個の個包装容器２をまとめてスリーブ状にしたシュリンクフィルムで包む。すなわち、包装する５個の個包装容器２より少し広い幅のシュリンクフィルムを用いて、前後をヒートシールした後、シュリンクトンネル内で熱風により加熱して収縮させる。この状態でシュリンク包装すると、シュリンク包装体３の両側面に隙間（スリーブ孔）が残る形状となる。このスリーブ包装（二方シール）による方法以外にも、筒状にしたシュリンクフィルムの開口部から個包装容器２を入れ、上下をヒートシールして包んだ後、シュリンクトンネルを通してシュリンクする三方シールによる方法、前後のヒートシールと両サイドのヒートシールを組み合わせて包んでシュリンクトンネルを通してシュリンクする四方シールによる方法等によりシュリンク包装することができる。上記において、ヒートシールの方法としては、例えば、バーシール、回転ロールシール、ベルトシール、インパルスシール、高周波シール、超音波シール等の公知の方法で行うことができる。
【００１９】
つぎに、本発明において、個包装容器２に収納した商品１を表示する商品名、商標名、製造者、販売者、商品説明事項等の商品表示にかかる文字、図形、記号、絵柄等からなる印刷画像表示部４、さらには、この印刷画像表示部４以外の領域に、個包装容器２内に収納された商品１と全く無関係の他の商品５を広告宣伝する文字、図形、記号、絵柄等からなる印刷画像表示部６は、上記のように、通常は、シュリンク包装体３の外面に設けるものであるが、しかし、例えば、シュリンク包装体３の外面に貼り合わせるラベル等にも設けることもでき、これによって、ラベル等も、本発明にかかる広告宣伝媒体とすることもできるものである。
【００２０】
なお、本発明において、個包装容器２内に収納する商品１としては、例えば、食品、菓子、ガム、果汁・酒・油・調味料等の飲料、洗剤・歯磨き粉等の日用品、雑貨品、医薬品、ノート・各種ペン・消しゴム・各種テープ・コピー用紙等の文房具、オーディオテープ等の記録媒体等の種々の商品を対象とすることができ、これと全く関係のない他の商品５としては、例えば、食品、菓子、果汁・酒・油・調味料等の飲料、洗剤・歯磨き粉等の日用品、雑貨品、医薬品、文房具、テレビ・冷蔵庫・洗濯機・掃除機等の電気製品、パソコン、ゲーム機、オーディオ製品、自動車、ゴルフ道具・サーカー道具・野球道具等の運動用具等の種々の商品を対象とすることができ、これらの商品１と商品５を任意に組み合わせて適用することができる。
【００２１】
【実施例】
つぎに、上記の本発明について以下に具体例を挙げてさらに詳しく本発明を説明する。
【００２２】
＜実施例１＞
まず、個包装容器を、緑茶が収納され、その外面には緑茶という商品名、絵柄、原材料名、内容量、賞味期限、製造者、あるいは販売者等のを表示する印刷画像表示部が印刷されているペットボトル容器とした。
【００２３】
つぎに、この個包装容器を１個を包装する外包装容器として、厚さ１５μｍのポリエステルフィルムを使用して、裏面にグラビア印刷で個包装容器であるペットボトル容器内に収納した商品である緑茶を表示する文字、図形、記号、絵柄等からなる印刷画像表示部を印刷すると共に、その印刷画像表示部以外の領域に、緑茶と全く無関係なパソコンを広告宣伝する文字、図形、記号、絵柄等からなる印刷画像表示部を印刷した。しかる後、筒状に製造し、ペットボトル容器に被せ、シュリンクトンネルを通して、個包装容器であるペットボトル容器をシュリンク包装したシュリンク包装体を製造した。このシュリンク包装体は、図２−ａに示すように、外面の表側に緑茶の表示と共に、図２−ｂに示すように、裏側にパソコンが広告宣伝されている広告宣伝媒体となった。
【００２４】
＜実施例２＞
まず、個包装容器を、即席ラーメンを収納したプラスチック製軟包装袋として、厚さ２０μｍの２軸延伸ポリポリプロピレンフィルムの裏面に、即席ラーメンという商品名、絵柄、原材料名、内容量、賞味期限、製造者、あるいは販売者等のを表示する印刷画像表示部をグラビア印刷方式で裏刷り印刷し、そして、上記の印刷面に、ポリウレタン系２液硬化型接着剤を塗工し、その塗工面に、厚さ２０μｍの無延伸ポリプロピレンフィルムを貼り合わせて個包装容器用の積層材を作製した。この積層体をを使用して、その無延伸ポリプロピレンフィルム面を対向させて重ね合わせ、しかる後、通常のプラスチック製軟包装袋を製袋し、商品を包装する充填包装機により、胴部、上部および下部をヒートシールしてピロー型のプラスチック製軟包装袋に即席ラーメンを収納した個包装容器を製造した。
【００２５】
つぎに、この個包装容器を５個まとめて包装するシュリンク包装体として、厚さ３０μｍの２軸延伸ポリポリプロピレンフィルムに、個包装容器の商品であるラーメンとは関係のない商品であるゴルフクラブという商品名、絵柄、製造者等の広告宣伝する印刷画像表示部をグラビア印刷方式で裏刷り印刷した。このフィルムを筒状にして、５個の個包装容器をまとめて包み、シュリンクトンネルを通して加熱収縮させて５個の即席ラーメンを収納した個包装容器を収納したシュリンク包装体を製造した。図３に示すように、このシュリンク包装体は、外面にゴルフクラブが広告宣伝されている広告宣伝媒体となった。
【００２６】
なお、シュリンク包装体を通して外から個包装容器に形成した商品を表示する文字、図形、記号、絵柄等からなる印刷画像表示部を視認することができるような位置に、ゴルフクラブの広告宣伝をする文字、図形、記号、絵柄等からなる印刷画像表示部を設けた。
【００２７】
【発明の効果】
以上の説明で明らかなように、本発明は、種々の商品を収納した１個あるいは複数個の個包装容器をまとめて包装するシュリンク包装体の外面に着目し、そのシュリンク包装体の外面に、個包装容器内に収納された商品と全く無関係の他の商品を広告宣伝する文字、図形、記号、絵柄等からなる印刷画像表示部を形成することにより、この個包装容器に収納されている商品を購入しようとする、あるいは、購入した一人一人は、そのシュリンク包装体を手に持って、その個包装容器の外面に施されている収納されている商品の印刷画像表示部に目を落とすと同時に、必然的に、確実に、そのシュリンク包装体の外面に施されている他の商品にの関する印刷画像表示部を見ることになり、これによって、極めて商品の広告宣伝機能の高い広告宣伝媒体を製造し得ることができるというものである。
【図面の簡単な説明】
【図１】本発明にかかる広告宣伝媒体の実施の形態の一実施例を示す斜視図である。
【図２】本発明にかかる広告宣伝媒体の別の実施例を示す斜視図である。
【図３】本発明にかかる広告宣伝媒体のさらに別の実施例を示す斜視図である。
【符号の説明】
Ａ  広告宣伝媒体
１  商品
２  個包装容器
３  シュリンク包装体
４  文字、図形、記号、絵柄等からなる印刷画像表示部
５  他の商品
６  他の商品を表す文字、図形、記号、絵柄等からなる印刷画像表示部
Ｐ  表側
Ｑ  裏側
ａ  商品の商標名
ｂ  商品を表す絵柄
ｃ  商品の品名、中身、製造者、および販売者等を表す欄
ｘ  他の商品の商標名
ｙ  他の商品を表す絵柄
ｚ  他の商品の性能、製造者等を表示する欄
【図１】
2004252220.tif 000003
【図２】
2004252220.tif 000004
【図３】
2004252220.tif 000005